(57)【要約】【課題】  撮像機能付き観察用光学機器において、撮影された画像を図鑑データに簡単・迅速に対応付ける。【解決手段】  デジタルカメラが搭載された双眼鏡１０に、カードスロット１９を設ける。カードスロット１９に装着されるＩＣメモリカードに、観察対象物の画像ファイルを図鑑データとして格納する。双眼鏡１０において図鑑データを、季節、場所、大きさ等の属性に基づくカテゴリに分類する。これらのカテゴリを階層的に構成し、この構成にしたがってＩＣメモリカードのディレクトリ構造を構成する。ディレクトリ構造の末端のフォルダに、対応する画像ファイルを配置する。撮影画像に対応する図鑑の画像ファイルを矢印キー１７Ｒ、１７Ｌ、１７Ｕ、１７Ｄを用いて検索する。撮影画像の画像ファイルに検索された画像ファイルのパスをタグ情報として格納する。【選択図】        図１
2005078610.tif 000002
【特許請求の範囲】
【請求項１】
図鑑データを記録した記録媒体と、画像ファイルを前記図鑑データと対応づける対応付手段とを備えることを特徴とする画像ファイル対応付システム。
【請求項２】
前記記録媒体が観察対象物の種々の属性に基づき分類される所定のカテゴリごとに形成された階層ディレクトリ構造を有し、その各最下位ディレクトリには、前記観察対象物の種類を特定するための画像データを前記図鑑データとして格納する参照画像ファイルが配置され、前記対応付手段が前記画像ファイルを前記参照画像ファイルに対応付けることにより前記画像ファイルと前記図鑑データとの対応付けを行うことを特徴とする請求項１に記載の画像ファイル対応付システム。
【請求項３】
前記画像ファイルにタグ情報を格納する領域が設けられ、前記タグ情報に前記参照画像ファイルのパスを記録することにより、前記対応付けを行うことを特徴とする請求項２に記載の画像ファイル対応付システム。
【請求項４】
前記記録媒体が前記各カテゴリおよび各ディレクトリをそれぞれ表わす画像データを格納するガイド用画像ファイルを有し、
前記画像ファイル対応付システムが、画像を表示するための画像表示手段と、この手動操作部材の操作に対応して前記階層ディレクトリ構造に沿って各ディレクトリを指定してカレントディレクトリを設定する設定手段とを備え、
前記ガイド用画像ファイルの中から、前記設定手段が指定するディレクトリに対応したガイド用画像ファイルを選択しその画像を前記画像表示手段に表示させるとともに、前記設定手段が最下位ディレクトリを指定している場合は、前記手動操作部材の操作に応じて、その最下位ディレクトリ内に配置された前記参照画像ファイルを順次読み出して前記画像表示手段に表示させることを特徴とする請求項２に記載の画像ファイル対応付システム。
【請求項５】
参照画像ファイルの画像を前記画像表示手段により表示した状態において、所定の手動操作部材が操作されると、表示されている前記参照画像ファイルが前記画像ファイルに対応付けられることを特徴とする請求項４に記載の画像ファイル対応付システム。
【請求項６】
前記所定の操作部材が操作された際に、前記画像ファイルの画像を前記画像表示手段により表示し、その後再び前記所定の操作部材が操作されることにより、前記画像ファイルを前記参照画像ファイルに対応付けることを特徴とする請求項５に記載の画像ファイル対応付システム。
【請求項７】
請求項１に記載の画像ファイル対応付システムと、前記画像ファイル対応付システムにおいて図鑑データに対応付けられる画像ファイルの画像を撮像するための撮像手段を備えることを特徴とするデジタルカメラ。
【請求項８】
請求項７に記載のデジタルカメラを備える観察用光学機器。
【発明の詳細な説明】
【技術分野】
【０００１】
本発明は、画像ファイルの管理システムに関し、また、画像表示機能または撮像機能を搭載した光学機器に関する。
【背景技術】
【０００２】
デジタルカメラ機能を備えた光学機器として、デジタルカメラ機能付双眼鏡が知られている。デジタルカメラ機能付き双眼鏡では、接眼レンズを通して複眼視される映像と略同一の画像を液晶モニタに表示できるとともにデジタル画像として記録可能である。
【特許文献１】特開２００３−１０７３６９号公報
【発明の開示】
【発明が解決しようとする課題】
【０００３】
双眼鏡は、バードウォッチングやスポーツ観戦などに用いられることが多い。バードウォッチングやスポーツ観戦では、鳥、選手といった特定の対象が観察される。このとき双眼鏡利用者は、観察対象を漠然と観察するのではなく、観察対象の種類や個別の名称などを同定することが一般的である。例えばバードウォッチングでは鳥の種類であり、スポーツ観戦ではチーム名や選手の名前である。
【０００４】
本発明は、画像ファイルを図鑑データに簡単・迅速に対応付けるシステムを得ることを目的とし、特に撮像機能が搭載された光学機器において、撮影された画像を図鑑データに簡単・迅速に対応付けることを目的としている。
【課題を解決するための手段】
【０００５】
本発明の画像ファイル対応付システムは、図鑑データを記録した記録媒体と、画像ファイルを前記図鑑データと対応づける対応付手段とを備えたことを特徴としている。
【０００６】
記録媒体は、観察対象物の種々の属性に基づき分類される所定のカテゴリごとに形成された階層ディレクトリ構造を有し、その各最下位ディレクトリには、観察対象物の種類を特定するための画像データを図鑑データとして格納する参照画像ファイルが配置され、対応付手段は画像ファイルを参照画像ファイルに対応付けることにより画像ファイルと図鑑データとの対応付けを行うことが好ましい。これにより極めて簡単に図鑑機能を備えたシステムを構築できる。
【０００７】
画像ファイルにタグ情報を格納する領域が設けられ、タグ情報に参照画像ファイルのパスを記録することにより対応付けが行われることが好ましい。
【０００８】
簡単に図鑑機能を備えたシステムを構築するとともに、検索のための高い操作性を得るには、記録媒体は各カテゴリおよび各ディレクトリをそれぞれ表わす画像データを格納するガイド用画像ファイルを有し、ファイル対応付システムは、画像を表示するための画像表示手段と、この手動操作部材の操作に対応して階層ディレクトリ構造に沿って各ディレクトリを指定してカレントディレクトリを設定する設定手段とを備え、ガイド用画像ファイルの中から、設定手段が指定するディレクトリに対応したガイド用画像ファイルを選択しその画像を画像表示手段に表示させるとともに、設定手段が最下位ディレクトリを指定している場合は、手動操作部材の操作に応じて、その最下位ディレクトリ内に配置された参照画像ファイルを順次読み出して画像表示手段に表示させることが好ましい。
【０００９】
例えば、参照画像ファイルの画像を画像表示手段により表示した状態において、所定の手動操作部材が操作されると、表示されている参照画像ファイルが前記画像ファイルに対応付けられる。また所定の操作部材が操作された際に、画像ファイルの画像を画像表示手段により表示し、その後再び所定の操作部材が操作されることにより、この画像ファイルを参照画像ファイルに対応付けることが好ましい。これにより、ユーザーは、対応付けを行なう際に撮影画像を確認することが可能となる。
【００１０】
また本発明におけるデジタルカメラは、上記ファイル対応付システムと、ファイル対応付システムにおいて図鑑データに対応付けられる画像ファイルの画像を撮像するための撮像手段を備えたことを特徴としている。
【００１１】
また更に、本発明の観察用光学機器は、上記デジタルカメラを備えたことを特徴としている。
【発明の効果】
【００１２】
以上のように、本発明によれば、画像ファイルを図鑑データに簡単・迅速に対応付けるシステムを提供できる。また、撮像機能が搭載された光学機器において、撮影された画像を図鑑データに簡単・迅速に対応付けることが可能となる。
【発明を実施するための最良の形態】
【００１３】
以下、本発明の実施の形態を、図面を参照して説明する。
図１は、本発明の一実施形態であるデジタルカメラ機能付き双眼鏡の外観を接眼レンズ側（背面側）から見たときの斜視図である。
【００１４】
双眼鏡１０の背面には、一対の接眼部１１Ｒ、１１Ｌが設けられ、その上面の略中央には、ＬＣＤなどの画像表示装置１２が設けられる。画像表示装置１２の手前（図面１において）には合焦のための転輪１３が設けられる。画像表示装置１２は、パネル状に成形されており、上面と正面の稜線に沿った軸を回転軸に開閉自在である。すなわち、画像表示装置１２が開かれると、画面は背面方向に向けて略直立される。また、画像表示装置１２が閉じられると、画面は双眼鏡１０の上面に臥せられる。なお、撮影用の光学系（図示せず）の合焦動作は、接眼部１１Ｌ、１１Ｒを含む双眼鏡用光学系の合焦動作に連動しており、転輪１３を用いて行なわれる。
【００１５】
双眼鏡１０の上面右手前側にはレリーズスイッチ１４が設けられる。レリーズスイッチ１４の後側（正面より）には、メニュキー１５、ディスプレイボタン１６、及び上下左右方向に対応する４つの矢印キー１７Ｕ、１７Ｄ、１７Ｌ、１７Ｒと、これらに囲まれるＯＫキー１８とが設けられる。また、双眼鏡１０の側面には、メモリカード等の記録媒体を挿入するためのカードスロット１９が設けられる。
【００１６】
図２に、図１のデジタルカメラ機能付き双眼鏡１０の電気的な構成を示すブロック図を示す。
【００１７】
撮影用光学系２０を介して入射された被写体像は、撮像ブロック２１内のＣＣＤなどの撮像素子で結像され、画像信号として検出される。撮像ブロック２１では、検出された画像信号に対してＣＣＤプロセス処理などの所定の信号処理が施される。その後画像信号はキャプチャ回路２２を介してプロセッサ２３に送られる。
【００１８】
キャプチャ回路は、撮像ブロック２１からの画像信号（画像データ）をレリーズスイッチ１４の操作に応じて一時的に保存する回路である。例えば、撮像素子で撮像された画像を画像表示装置１２にシースルー画像として表示する場合には、間引きした画像信号を随時プロセッサ２３に出力し、バスＢＳを介して画像表示装置１２に動画として表示する。レリーズスイッチ１４が操作されると、例えば間引きを行っていない画像データを図示しないメモリに一時的に保存する。
【００１９】
キャプチャ回路２２に保存された画像データは、プロセッサ２３及びバスＢＳを介して画像表示装置１２に静止画像として表示される。なお、撮像ブロック２１、キャプチャ回路２２は、タイミングジェネレータ２４からの同期信号により制御され、タイミングジェネレータ２４は、プロセッサ２３により制御される。また、レリーズスイッチ１４等を含むスイッチ群２５、及びスピーカ３０は、例えばバスＢＳを介してプロセッサ２３に接続される。
【００２０】
また、プロセッサ２３には、Ｉ／Ｏコントロール回路２６が接続され、Ｉ／Ｏコントロール回路２６には、記録媒体制御回路２７が接続される。記録媒体制御回路２７は、ＩＣメモリカード等の記録媒体Ｍが着脱自在に装着される記録媒体装着部２７ａを有しており、記録媒体装着部２７ａに装着された記録媒体Ｍの記憶容量やファイル階層、現在の空き領域を認識するとともに、記録媒体Ｍへのデータの書き込みや、記録媒体Ｍからのデータの読み出しが行なわれる。例えば記録媒体Ｍの空き領域には、撮影され、キャプチャ回路２２に一時的に保存された画像データがプロセッサ２３、Ｉ／Ｏコントロール回路２６、記録媒体制御回路２７を介して書き込まれる。また、例えば記録媒体Ｍに記録されている画像データは、記録媒体制御回路２７、Ｉ／Ｏコントロール回路２６、プロセッサ２３、バスＢＳを介してワークＲＡＭ２８に転送することが可能である。なお、プロセッサ２３は、ＲＯＭ２９に記録されたシステムプログラムに従って駆動される。
【００２１】
次に図３〜図１１を参照して、本実施形態においてプロセッサ２３において実行される参照画像表示処理動作（図鑑モード）について説明する。なお、本実施形態では、双眼鏡１０を用いてバードウォッチングを行う場合を例に説明する。
【００２２】
図３は、記録媒体Ｍに形成されたフォルダ（ディレクトリ）の階層構造を例示した図である。図３に示されるように、記録媒体Ｍのルート（ルートディレクトリ）には、フォルダ「ＤＣＩＭ」と例えばフォルダ「鳥の図鑑」が存在する。フォルダ「ＤＣＩＭ」は、デジタルスチルカメラで撮影された画像ファイルを格納しておくためのフォルダである。すなわち、プロセッサ２３が、通常のデジタルカメラとしての処理を実行している間（図鑑モードである参照画像表示処理動作の起動前）、カレントディレクトリは「ＤＣＩＭ」の下にある所定のフォルダにある。そして、撮影画像は記録媒体Ｍの空き領域に、例えばＪＰＥＧ形式の画像データとして記録され、この画像データは「ＤＣＩＭ」フォルダの下にある所定のフォルダ内に格納されたファイルとして管理される。
【００２３】
フォルダ「鳥の図鑑」の下には、例えば「春」、「夏」、「秋」、「冬」の４つの季節に対応したフォルダが存在し、それぞれのフォルダの下には例えば「山」、「海」、「街」等の観察する場所に対応したフォルダが設けられる。また「山」、「海」、「街」等の場所に対応したフォルダの下には、例えば「大」、「中」、「小」等の鳥の大きさに対応するフォルダがそれぞれ設けられる。なお、図３では、フォルダ「春」の下にある「山」、「海」、「街」のフォルダと、「山」の下にある「大」、「中」、「小」のフォルダのみが示されおり、他は省略されている。
【００２４】
各季節、各場所のフォルダの下にある大中小のフォルダには、それぞれ季節、場所、大きさで分類された鳥の画像ファイルと、画像ファイルに関連する情報が含まれるファイルが格納されている。図４に、「￥鳥の図鑑￥秋￥街￥小」に、格納されているファイルの一例を示す。例えばファイル「ツグミ．ｊｐｇ」は鶫の画像ファイルであり、「ツグミ．ｊｐｅｇ」は、「ツグミ．ｊｐｇ」の画像に鳥の名前等の文字情報を合成した画像ファイルである。また、「ツグミ．ｗａｖ」は、鶫の声を録音した音声データである。図５（ａ）、（ｂ）に「ツグミ．ｊｐｇ」、「ツグミ．ｊｐｅｇ」の画像の一例を示す。なお、図４には、鶫と鵯に関するファイルのみが示されているが、「￥鳥の図鑑￥秋￥街￥小」には、秋に街で見られる様々な小型の鳥の画像ファイルとその鳥の音声ファイルが格納される。また、四季を通じて見られる鳥や、例えば山でも街でも見られるような鳥に関しては、複数のフォルダに同一のファイルが重複して格納されている。
【００２５】
一方、フォルダ「鳥の図鑑」には、図６に例示するビットマップデータが格納されている。「ａｒｅａ１．ｂｍｐ」、「ａｒｅａ２．ｂｍｐ」、「ａｒｅａ３．ｂｍｐ」のファイルは、それぞれ「山」、「海」、「街」のフォルダに対応しており、「ｓｅａｓｏｎ１．ｂｍｐ」、「ｓｅａｓｏｎ２．ｂｍｐ」、「ｓｅａｓｏｎ３．ｂｍｐ」、「ｓｅａｓｏｎ４．ｂｍｐ」のファイルは、それぞれ「春」、「夏」、「秋」、「冬」のフォルダに対応している。また、「ｓｉｚｅ１．ｂｍｐ」、「ｓｉｚｅ２．ｂｍｐ」、「ｓｉｚｅ３．ｂｍｐ」のファイルは、それぞれ「大」、「中」、「小」のフォルダに対応し、「ｔｉｔｌｅ．ｂｍｐ」のファイルは、フォルダ「鳥の図鑑」に対応している。図７（ａ）〜（ｄ）に、「ｔｉｔｌｅ．ｂｍｐ」（鳥の図鑑）、「ｓｅａｓｏｎ３．ｂｍｐ」（秋）、「ａｒｅａ３．ｂｍｐ」（街）、「ｓｉｚｅ３．ｂｍｐ」（小）各々のビットマップデータの一例を示す。なお、上記「鳥の図鑑」フォルダに格納されるビットマップファイル（ｂｍｐファイル）及び画像ファイル（ＪＰＧまたはＪＰＥＧファイル）の容量は、いずれも画像表示装置１２の表示画素数を満足すればよいので、撮影画像のファイルに比べて非常に小さくて済む。したがって、記録媒体Ｍに関しては、撮影画像を格納するために利用される空き領域を十分に確保できる。
【００２６】
本実施形態において、鳥の画像ファイル（拡張子ＪＰＧのファイル）の他に、同じ鳥の画像に名前の文字情報を合成した画像ファイル（拡張子ＪＰＥＧのファイル）を用意しているのは、これらの画像ファイルの表示を切り替えて表示することにより、文字情報に関してのみ表示と非表示とを交互に切り替えて表示させることを可能とし、画像表示装置上の文字情報と対象物の画像の視認性を共に向上させるためである。
【００２７】
図８〜図１０は、本実施形態の参照画像表示処理動作（図鑑モード）のプログラムのフローチャートである。この参照画像表示処理動作は、例えば、撮像ブロック２１で撮影された画像が画像表示装置１２の画面に表示された状態において、メニュキー１５が所定の時間に渡って長押しされた場合に割込み処理等により開始される。なお、図鑑モードが選択され、参照画像表示処理動作（図鑑モード）が実行される前において、プロセッサ２３では、通常のデジタルカメラと同様のプログラムが実行されている。また、プロセッサ２３は、最新の撮影画像およびそのファイル名を記憶しており、詳細は後述するが、図鑑モード動作時において、参照画像と撮影画像との対応付けに利用される。
【００２８】
ステップＳ１０１では、画像表示装置１２上に表示されていた画像ファイル（撮影画像）のファイル名が一時的に記憶され、画像表示装置１２の画面は例えば参照画像表示処理動作が起動されたことを示す画面に切り替えられる。ステップＳ１０２では、表示されていた撮影画像に対する画像ファイルのタグ情報記録領域の内容が読み込まれる。画像ファイルは、図１１に示すように、画像データに関連するヘッダ情報を記録するヘッダ領域Ａｈと、画像データを記録する画像データ記録領域Ａｄとから構成され、ヘッダ領域Ａｈ内には、タグ情報記録領域Ｔｄが割り振られている。タグ情報記録領域Ｔｄは、画像ファイルの画像に撮影された鳥等の観察対象物を同定するために参照した図鑑データの検索結果を検索結果記録タグ情報として記録しておくための領域である。検索結果記録タグ情報には、図鑑（鳥の図鑑）のフォルダの下で検索された画像ファイルのパスが用いられる。例えば、「￥鳥の図鑑￥秋￥街￥小￥ツグミ．ｊｐｇ」などである。
【００２９】
ステップＳ１０３では、カレントフォルダ（カレントディレクトリ）が「￥ＤＣＩＭ」以外のフォルダに移される。本実施形態では、ルートディレクトリには「￥ＤＣＩＭ」の他には「￥鳥の図鑑」しか存在しなので、「￥鳥の図鑑」にカレントフォルダが移される。なお、複数の図鑑に対応する複数のフォルダが存在する場合には、例えば、ルートディレクトリにカレントフォルダが移されるようにしてもよい。
【００３０】
次にステップＳ１０４では、検索結果記録タグ情報が存在するか否かが判定される。すなわち、撮影画像の画像ファイルのヘッダ領域から読み出された検索結果記録タグ情報に、図鑑データである画像ファイルのパスが記録されているか否かが判定される。検索結果記録タグ情報にパスが記録されていない場合は、ステップＳ１０６において、カレントフォルダである「￥鳥の図鑑」に対応するビットマップデータ「ｔｉｔｌｅ．ｂｍｐ」が画像表示装置１２に表示され、後述するステップＳ１０７以下の処理が実行される。なお、ステップＳ１０６では、カレントフォルダに対応する画像、または画像ファイルが選択されている場合には、そのファイルの画像が画像表示装置１２に表示される。
【００３１】
一方、ステップＳ１０４において、検索結果記録タグ情報としてパスが記録されている場合には、ステップＳ１０５において、カレントフォルダは検索結果記録タグ情報として記録されているパスで示される画像ファイルが存在するフォルダに移され、その画像ファイルの画像が画像表示装置１２の画面に表示される。すなわち、パスが「￥鳥の図鑑￥秋￥街￥小￥ツグミ．ｊｐｇ」の場合、カレントフォルダは「￥鳥の図鑑」から「￥鳥の図鑑￥秋￥街￥小」に移され、画像表示装置１２の画面には、図５（ａ）に示される「ツグミ．ｊｐｇ」の画像が表示される。その後、処理はステップＳ１０７に移る。
【００３２】
ステップＳ１０７〜ステップＳ１１１では、矢印キー１７Ｕ、１７Ｄ、１７Ｒ、１７Ｌ、メニュキー１５、ＯＫキー１８が操作された否かが判定され、その操作内容に応じて所定の処理が実行される。すなわち、ステップＳ１０７では、アップキー１７Ｕが押されたか否かが判定され、ステップＳ１０８ではダウンキー１７Ｄが押されたか否かが判手される。また、ステップＳ１０９では、左右の矢印キー１７Ｌ、１７Ｒが押されたか否かが判定される。また更に、ステップＳ１１０ではメニュキー１５、ステップＳ１１１ではＯＫキー１８が押されたかが判定される。
【００３３】
ステップＳ１０７でアップキー１７Ｕが操作されたと判定されると、ステップＳ１１２において、カレントのフォルダが、上位の階層のフォルダに変更され、その後処理はステップＳ１０６に戻り変更されたフォルダに対応する画像を表示する。例えばカレントのフォルダが「￥鳥の図鑑￥秋￥街」であり、画像表示装置１２には図７（ｃ）の画像が表示されているときにアップキー１７Ｕが操作されると、フォルダは「￥鳥の図鑑￥秋」に変更され、画像表示装置１２には図７（ｂ）の画像が表示される。なお、上位の階層がルートディレクトリのときはフォルダの変更を行われない。
【００３４】
ステップＳ１０８において、ダウンキー１７Ｄが操作されたと判定された場合には、カレントのフォルダの下にあるフォルダが検索され、初めに検索されたフォルダにカレントディレクトリは移る。また、下位のフォルダが存在しない場合には、初めに検索されたファイルが選択される。なお、デフォルトでは、「＊＊＊．ｊｐｇ」のファイルが選択されるように設定されている。ステップＳ１１３において、下位のフォルダまたはファイルが選択されると、ステップＳ１０６において、選択されたフォルダまたはファイルに対応する画像が表示される。例えば、カレントのフォルダが「￥鳥の図鑑￥秋￥街」のときにダウンキー１７Ｄが操作されると、このフォルダの下にある「大」のフォルダが初めに検索され、これに対応するファイル「ｓｉｚｅ１．ｂｍｐ」の画像が画像表示装置１２に表示される。また、カレントのフォルダが「￥鳥の図鑑￥秋￥街￥小」のときにダウンキー１７Ｄが操作されると、このフォルダの下には、フォルダが存在しないので、「＊＊＊．ｊｐｇ」のファイルが検索される。例えば初めに検索されたファイルが「ツグミ．ｊｐｇ」のとき、画像表示装置１２には、図５（ａ）の画像が表示される。
【００３５】
ステップＳ１０９において、左右キー１７Ｌ、１７Ｒが押されたと判定された場合には、ステップＳ１１４において、前のまたは次のフォルダ（またはファイル）が検索される。例えば左キー１７Ｌが押されると、前のフォルダ（またはファイル）が検索され、右キー１７Ｒが押されると、次のフォルダ（またはファイル）が検索される。例えばカレントのフォルダが「￥鳥の図鑑￥秋￥山」のときに右キー１７Ｒが操作されると、カレントフォルダは「￥鳥の図鑑￥秋￥海」に変更される。その後処理は、ステップＳ１０６に戻り「￥鳥の図鑑￥秋￥海」のフォルダに対応する画像が表示される。なお、右キー１７Ｒによるフォルダの変更は、「山」→「海」→「街」→「山」と循環的に行われ、左キー１７Ｌによる変更は、これとは逆に循環的に行われる。また、ファイルに関しても同様であり、左右キー１７Ｌ、１７Ｒにより、選択されるファイルが循環的に変更され、画像表示装置に対応する画像が表示される。
【００３６】
ステップＳ１１０において、メニュキー１５が押されたと判定された場合には、ステップＳ１１５において、ステップＳ１１３又はステップＳ１１４で選択されるファイルの変更が行なわれステップＳ１０６へ戻る。すなわち、デフォルトでは「＊＊＊．ｊｐｇ」のファイルが選択の対象となっているが、メニュキー１５が操作されると、選択対象となるファイルは「＊＊＊．ｊｐｅｇ」に変更される。また、逆に、「＊＊＊．ｊｐｅｇ」のファイルが選択の対象となっているときにメニュキー１５が操作されると、選択対象となるファイルは「＊＊＊．ｊｐｇ」に変更される。例えば、既に「ツグミ．ｊｐｇ」のファイルが選択され、図５（ａ）の画像が表示されているときにメニュキー１５が押されると、選択ファイルが「ツグミ．ｊｐｅｇ」に変更され、画像表示装置１２には、図５（ｂ）の画像が表示される。なお、ファイルが選択されていないときには、このステップでは何も行われない。
【００３７】
ステップＳ１１１において、ＯＫキー１８が押されたと判定されると、ステップＳ１１６において、選択されているファイルに対応する音声ファイルが開かれ、画像表示装置１２に表示された鳥の鳴き声がスピーカ３０（図２参照）から流れるとともに処理はステップＳ１０６へ戻る。例えば、「ツグミ．ｊｐｇ」のファイルが選択されているときにＯＫキー１８が押されると、「ツグミ．ｗａｖ」に録音された鶫の鳴き声が流れる。なお、ファイルが選択されていないときには、このステップでは何も行われない。
【００３８】
一方、矢印キー１７Ｕ、１７Ｄ、１７Ｒ、１７Ｌ、メニュキー１５、ＯＫキー１８の何れも操作されない場合は、ステップＳ１１７において、現在ファイルが選択されているか否かが判定される。ファイルが選択されていない場合には、ステップＳ１０６〜ステップＳ１１７の処理が繰り返され、ファイルが選択されている場合には、図１０のステップＳ１１８以下の処理が実行される。
【００３９】
ステップＳ１１８ではレリーズスイッチ１４が押されたか否かが判定され、レリーズスイッチ１４が押されている場合にはステップＳ１１９において、参照画像表示処理動作（図鑑モード）が起動される直前に記憶されたファイル名の画像（撮影画像）が、画像表示装置１２の画面に表示される。すなわち、オペレータは、レリーズスイッチ１４を操作することにより、撮影画像の確認を行うことができる。なお、レリーズスイッチ１４が押されていない場合には、ステップＳ１０６に処理は戻る。
【００４０】
ステップＳ１２０では、ＯＫキー（ＯＫスイッチ）１８が押されたか否かが判定される。ＯＫキー１８が押されたと判定された場合には、ステップＳ１２１に進み、ファイル名が記憶された画像ファイル（ステップＳ１１９において画像表示装置１２の画面に表示された画像ファイル）のタグ情報記録領域Ｔｄに、現在表示している画像のパスが検索結果記録タグ情報として記録される。すなわち、レリーズスイッチ１４を一度押して、撮影画像を確認し、撮影された鳥などの観察対象物が、検索した図鑑の画像に一致すると判断される場合には、ＯＫキー１８を操作して、そのパスを撮影画像のヘッダ領域Ａｈに記録する。なお、ステップＳ１２１の処理が終了すると、ステップＳ１０６以下の処理が再び繰り返される。
【００４１】
一方ステップＳ１２０において、ＯＫキー（ＯＫスイッチ）１８が押されていない場合には、ステップＳ１２２においてレリーズスイッチ１４が操作されたか否かが判定され、レリーズスイッチ１４が操作された場合には、ステップＳ１０６以下の処理に戻る。ステップＳ１２２においてレリーズスイッチ１４が操作されていないと判定されると、ステップＳ１２３においてメニュキー１５が所定時間以上に渡って長押しされたか否かが判定される、長押しされていないと判定された場合には、ステップＳ１２０以下の処理が繰り返され、入力待ちの状態となる。一方、長押しされたと判定された場合には、この参照画像表示処理動作（図鑑モード）は、終了し、通常のデジタルカメラとしての処理に復帰する。
【００４２】
以上のように、本実施形態の双眼鏡では、鳥等の観察対象物が種々の属性に基づいて分類されるとともに、各カテゴリが階層的に組み合わされて構成され、これらの階層的な分類にしたがって記録媒体に観察対象物の画像ファイルと音声ファイル等の関連情報を含む関連情報ファイルとが記録されているので、観察時の状況に合わせて、簡便にこれらの画像ファイルや関連情報ファイルを検索し、双眼鏡に搭載された画像表示装置に参照画像として表示できる。したがって、現在観察している対象物と検索された参照画像を簡単に照合することができる。更に、これに付随する音声や名称等の関連情報を参照することができるので、容易に観察対象物の同定、あるいは観察対象物に関連する情報を得ることができる。
【００４３】
また、本実施形態では、撮影画像に対して図鑑における検索結果をタグ情報として付加させることができるので、後日その撮影画像に対応する図鑑データを簡単に参照することができる。また、本実施形態では、検索結果記録タグ情報を具備する撮影画像を表示して、図鑑モードを起動した場合に、カレントディレクトリがその撮影画像に対応するディレクトリに自動的に移動されるため、検索を迅速に進めることが可能となる。
【００４４】
なお、観察対象物は、鳥以外のものでもよく、例えばスポーツ観戦の場合には、チーム、国籍、年齢や所属するリーグ等をカテゴリとして選手の画像やプロフィール、選手毎のテーマ曲等をファイルとして記録してもよい。また、１つの記録媒体に格納される図鑑の数はいくつあってもよい。
【００４５】
本実施形態では、フォルダに対応する画像は、最上位のフォルダ（鳥の図鑑）に全て存在したが、各フォルダに対応する画像を配置してもよい。また、本実施形態では、画像ファイルとしてＪＰＥＧやＢＭＰを用い、音声ファイルとしてＷＡＶファイルを用いたが、他の様々な形式の画像ファイル、音声ファイルを用いることができることは言うまでもない。また、フォルダと画像ファイルとの対応は、例えばフォルダの順番と、ファイルの順番とを対応させて行ってもよいし、フォルダ名とファイル名を対応させて行ってもよい。
【００４６】
本実施形態では、デジタルカメラ機能が搭載された双眼鏡において参照画像表示処理画実行されたが、これらの処理を、撮影画像の図鑑データが搭載されたパーソナルコンピュータに転送し、コンピュータ上において実行することも可能である。また、本実施形態では、撮影画像を格納する各画像ファイルがタグ情報としてパスを持つようにしたが、撮影画像の画像ファイルと、図鑑データである画像ファイルとの関係を別途ファイルに記録しておくことも可能である。
【図面の簡単な説明】
【００４７】
【図１】本発明の一実施形態であるデジタルカメラ機能付き双眼鏡の外観を示す斜視図である。
【図２】図１に示された双眼鏡の電気的構成を示すブロック図である。
【図３】本実施形態におけるＩＣメモリカードに存在するフォルダ（ディレクトリ）の階層的な構造を示す図である。
【図４】ＩＣメモリカードにおける「￥鳥の図鑑￥秋￥街￥小」のフォルダに配置されたファイルの一例である。
【図５】図４に例示された「ツグミ．ｊｐｇ」及び「ツグミ．ｊｐｅｇ」の画像ファイルの一例である。
【図６】フォルダ「鳥の図鑑」に配置され、カレントフォルダに対応して表示される画像ファイル名の一覧である。
【図７】フォルダに対応する画像ファイルの一例である。
【図８】本実施形態における参照画像表示処理動作のプログラムのフローチャートである。
【図９】図８のフローチャートの続きである。
【図１０】図９のフローチャートの続きである。
【図１１】撮影された画像ファイルの構成を説明するための模式図である。
【符号の説明】
【００４８】
１０  デジタルカメラ機能付き双眼鏡
１２  画像表示装置（ＬＣＤ）
１５  メニュキー
１７Ｒ、１７Ｌ、１７Ｕ、１７Ｄ  矢印キー
１８  ＯＫキー
１９  カードスロット
２３  プロセッサ
Ｍ  記録媒体（ＩＣメモリカード）
【図１】
2005078610.tif 000003
【図２】
2005078610.tif 000004
【図３】
2005078610.tif 000005
【図４】
2005078610.tif 000006
【図５】
2005078610.tif 000007
【図６】
2005078610.tif 000008
【図７】
2005078610.tif 000009
【図８】
2005078610.tif 000010
【図９】
2005078610.tif 000011
【図１０】
2005078610.tif 000012
【図１１】
2005078610.tif 000013